(57)【特許請求の範囲】
【請求項１】
肌電極（２４）を有する本体部（Ａ）に保護キャップ（５１）が着脱可能に装着してある美容器具であって、
シート状吸液体（Ｍ）を肌電極（２４）に装着するためのキャップ（１１）が、肌電極（２４）に着脱可能に装着されており、
キャップ（１１）を肌電極（２４）に装着した状態のままで、保護キャップ（５１）を本体部（Ａ）に着脱できるように構成されており、
本体部（Ａ）に装着部（２２）が設けられており、
保護キャップ（５１）は、肌電極（２４）の前面を覆う前保護部（５２）と、本体部（Ａ）の装着部（２２）に着脱可能に装着されるクリップ体（Ｂ）を含み、
保護キャップ（５１）が、肌電極（２４）の外面を覆う前保護部（５２）と、本体ケース（１）の背面を覆う後保護部（５３）を含み、
前保護部（５２）と後保護部（５３）は、左右一対の弾性変形可能な帯状の横橋絡壁（６０）を介して連続しており、
横橋絡壁（６０）の内面にクリップ体（Ｂ）が設けてあることを特徴とする美容器具。
【請求項２】
横橋絡壁（６０）が、保護キャップ（５１）の内面側へ凹む谷部（６２）と、谷部（６２）に連続して外面側へ突出する山部（６３）で構成してあることを特徴とする請求項１に記載の美容器具。
【請求項３】
横橋絡壁（６０）の外面に、保護キャップ（５１）を着脱するための指掛け片（６６）が突設してあることを特徴とする請求項２に記載の美容器具。
【請求項４】
指掛け片（６６）が横橋絡壁（６０）の谷部（６２）に突設してあることを特徴とする請求項３に記載の美容器具。
【請求項５】
肌電極（２４）を有する本体部（Ａ）に保護キャップ（５１）が着脱可能に装着してある美容器具であって、
シート状吸液体（Ｍ）を肌電極（２４）に装着するためのキャップ（１１）が、肌電極（２４）に着脱可能に装着されており、
キャップ（１１）を肌電極（２４）に装着した状態のままで、保護キャップ（５１）を本体部（Ａ）に着脱できるように構成されており、
保護キャップ（５１）が、肌電極（２４）の外面を覆う前保護部（５２）と、本体ケース（１）の背面を覆う後保護部（５３）を含み、
前保護部（５２）と後保護部（５３）の上部どうしが上橋絡壁（６１）で繋がっており、
上橋絡壁（６１）の内面にストッパー部（６５）が形成してあることを特徴とする美容器具。
【請求項６】
前保護部（５２）と後保護部（５３）の上部どうしが帯状の上橋絡壁（６１）で繋がっており、
上橋絡壁（６１）と左右の横橋絡壁（６０）の間に通気窓（６７）が開口してあることを特徴とする請求項１から４のいずれかひとつに記載の美容器具。
【発明の詳細な説明】
【技術分野】
【０００１】
本発明は、美容器具の本体部に設けた肌電極を覆う保護キャップの改良に関する。
【背景技術】
【０００２】
保護キャップを有する美容器具に関しては特許文献１が公知である。そこでは、肌電極にシート状吸液体を固定する際に用いるキャップが、肌電極を保護する保護キャップに収納可能となっている。
【先行技術文献】
【特許文献】
【０００３】
【特許文献１】特開２０１４−２００５００号公報
【発明の概要】
【発明が解決しようとする課題】
【０００４】
特許文献１の美容器具によれば、美容器具の不使用時、キャップが保護キャップ側に装着されて保管されることになる。このため習慣的に肌電極まわりにキャップを装着しているにもかかわらず、不使用時は保護キャップ側に装着してキャップを保管することになり、使い慣れたユーザーであっても戸惑う、あるいは扱いづらい。また、
保護キャップ側にキャップを装着しているので、保護キャップのボリュームが増加しコンパクト性に欠ける。
【０００５】
本発明の目的は、キャップの紛失を防止できるとともに、使い勝手に優れる美容器具を提供することにある。
【課題を解決するための手段】
【０００６】
本発明に係る本発明に係る美容器具は、肌電極２４を有する本体部Ａに保護キャップ５１が着脱可能に装着してある美容器具である。シート状吸液体Ｍを肌電極２４に装着するためのキャップ１１が、肌電極２４に着脱可能に装着されている。キャップ１１を肌電極２４に装着した状態のままで、保護キャップ５１を本体部Ａに着脱できる。
【０００７】
本体部Ａに装着部２２が設けられている。保護キャップ５１は、肌電極２４の前面を覆う前保護部５２と、本体部Ａの装着部２２に着脱可能に装着されるクリップ体Ｂを含む。クリップ体Ｂを装着部２２に係合装着した状態において、前保護部５２の前カバー壁５４が肌電極２４と隙間を介して対向している。
【０００８】
保護キャップ５１が、肌電極２４の外面を覆う前保護部５２と、本体部Ａの背面を覆う後保護部５３を含む。前保護部５２と後保護部５３は、左右一対の弾性変形可能な帯状の横橋絡壁６０を介して連続している。横橋絡壁６０の内面にクリップ体Ｂが設けてある。
【０００９】
横橋絡壁６０が、保護キャップ５１の内面側へ凹む谷部６２と、谷部６２に連続して外面側へ突出する山部６３で構成してある。
【００１０】
横橋絡壁６０の外面に、保護キャップ５１を着脱するための指掛け片６６が突設してある。
【００１１】
指掛け片６６が横橋絡壁６０の谷部６２に突設してある。
【００１２】
前保護部５２と後保護部５３の上部どうしが帯状の上橋絡壁６１で繋がっている。上橋絡壁６１の内面にストッパー部６５が形成してある。
【００１３】
上橋絡壁６１と左右の横橋絡壁６０の間に通気窓６７が開口してある。
【００１４】
前保護部５２と後保護部５３のいずれか一方の外面に載置片７３が突設されている。  本体部Ａのグリップ端と載置片７３が載置面Ｆに接当して、横臥状態の本体部Ａを支持している。
【発明の効果】
【００１５】
本発明に係る美容器具では、本体部Ａに保護キャップ５１を着脱可能に装着できるようにした。このとき、シート状吸液体Ｍ用のキャップ１１を肌電極２４に装着した状態のままで、保護キャップ５１を本体部Ａに着脱できるようにした。こうした美容器具によれば、不使用時に肌電極２４を保護キャップ５１で保護することができる。不使用時にキャップ１１を肌電極２４から取外して、本体部Ａとは別に収納保管する必要がないので、キャップ１１がどこかに紛れ込み、あるいは紛失するのを防止できる。また、不使用時はキャップ１１を装着し慣れた肌電極２４に装着して保管できるので、ユーザーの使い勝手を向上できる。
【００１６】
肌電極２４の前面を覆う前保護部５２と、クリップ体Ｂを含む保護キャップ５１によれば、クリップ体Ｂを装着部２２に係合装着するだけで、保護キャップ５１を本体部Ａに簡単に装着できる。また、保護キャップ５１を本体部Ａに装着した状態では、前保護部５２の前カバー壁５４と肌電極２４が隙間を介して対向するので、前カバー壁５４と肌電極２４が互いに擦れあうのを防止して、肌電極２４が傷付くのを確実に防止できる。
【００１７】
前保護部５２と後保護部５３を含む保護キャップ５１において、前後の保護部５２・５３を一対の弾性変形可能な帯状の横橋絡壁６０を介して連続し、さらに横橋絡壁６０の内面にクリップ体Ｂを設けるようにした。こうした保護キャップ５１によれば、クリップ体Ｂが弾性変形しながら装着部２２に係合するとき、横橋絡壁６０を同時に弾性変形させて、係合負荷がクリップ体Ｂに集中するのを防止して、早期に疲労破壊するのを解消できる。
【００１８】
保護キャップ５１の内面側へ凹む谷部６２と、外面側へ突出する山部６３で横橋絡壁６０を構成すると、横橋絡壁６０が平坦な帯状の壁で係止してある場合に比べて、弾性変形する壁部分の長さを大きくして、横橋絡壁６０を弾性変形しやすい構造とすることができる。
【００１９】
横橋絡壁６０の外面に指掛け片６６を突設した保護キャップ５１によれば、左右の指掛け片６６に親指と人差し指をあてがった状態で保護キャップ５１を装着部２２に着脱することにより、保護キャップ５１を容易にしかも適確に着脱できる。また、保護キャップ５１を装着部２２に対して適確に着脱できるので、着脱時に前カバー壁５４と肌電極２４が互いに擦れあうのを防止して、肌電極２４が傷付くのを防止できる。
【００２０】
横橋絡壁６０の谷部６２に指掛け片６６を突設すると、谷部６２の構造を指掛け片６６で補強して、横橋絡壁６０が拡開回方向へ弾性変形する際に谷部６２が過度に変形するのを規制できる。また、クリップ体Ｂの近傍に指掛け片６６が設けてあるので、指掛け片６６に加わる押込み力や抜出し力を効果的にクリップ体Ｂに伝えることができる。
【００２１】
前保護部５２と後保護部５３を上橋絡壁６１で繋ぎ、その内面にストッパー部６５を形成すると、保護キャップ５１を本体部Ａに装着した状態において、前保護部５２と後保護部５３をストッパー部６５で位置決めできる。また、左右の横橋絡壁６０と上橋絡壁６１の３者で後保護部５３を支持するので、後保護部５３の構造強度を増強できる。
【００２２】
上橋絡壁６１と左右の横橋絡壁６０の間に通気窓６７を開口すると、保護キャップ５１を本体部Ａに装着した状態において、通気窓６７に臨む本体部Ａの表面を外部空間の臨ませることができるので、本体ケース１の表面に付着した美容用液などの乾燥を促進できる。
【００２３】
前保護部５２と後保護部５３のいずれかに載置片７３が突設してあると、本体部Ａのグリップ端と載置片７３が載置面Ｆに接当する状態で美容器具を載置することにより、横臥姿勢にした美容器具をぐら付くことなく安定した状態で載置できる。
【図面の簡単な説明】
【００２４】
【図１】図５におけるＡ−Ａ線断面図である。
【図２】本発明の実施例１に係る美容器具の正面図である。
【図３】キャップおよび保護キャップを分離した状態の美容器具の側面図である。
【図４】前ケースおよび電池ケースの背面図である。
【図５】電源部の構造を示す、図２におけるＢ−Ｂ線断面図である。
【図６】電池ユニットおよび電池の横断平面図である。
【図７】保護キャップを装着した状態の美容器具の縦断側面図である。
【図８】保護キャップおよび美容器具の平面図である。
【図９】図７におけるＣ−Ｃ線断面図である。
【図１０】保護キャップのみの図７におけるＤ−Ｄ線断面図である。
【図１１】美容器具を載置面に載置した状態の側面図である。
【図１２】電源部の別実施例に係る横断平面図である。
【図１３】電池ケースの別実施例に係る斜視図である。
【図１４】電源部の別実施例に係る横断平面図である。
【発明を実施するための形態】
【００２５】
（実施例１）  図１ないし図１１は、本発明に係る美容器具（小型電気機器）の実施例１を示している。なお、本発明における前後、左右、上下とは、図２および図３に示す交差矢印と、各矢印の近傍に表記した前後、左右、上下の表示に従うものとする。
【００２６】
図２および図３において美容器具は、グリップを兼ねる縦長の本体ケース１と、本体ケース１の上部に設けた肌処理ヘッド２を備えている。肌処理ヘッド２は本体ケース１の前面上部に設けられる温熱ヘッド３と、本体ケース１の後面上部に膨出される冷熱ヘッド４を含んで構成されている。本体ケース１の前面の下部には卵形のスイッチパネル５が設けられて、その表面に電源投入用の電源ボタン部６と、運転モードを切換えるモードボタン部７と、印加電圧の強度を切換える切換えボタン部８とが設けてある。また、スイッチパネル５の上側のケース面には、運転モードの違いに応じて点灯される４個のモード表示灯（ＬＥＤ）９と、電流刺激の強度の違いに応じて点灯される３個の強度表示灯（ＬＥＤ）１０が設けてある。本体ケース１は、前後に分割形成された前ケース１ａと後ケース１ｂとで構成してあり、前後ケース１ａ・１ｂを後ケース１ｂの側からねじ込んだ３個のビスで締結して、縦長の中空ケース状に構成してある。図３において、符号Ｍは綿シート（シート状吸液体）、１１は綿シートＭを温熱ヘッド３に装着するためのリング状のキャップである。キャップの後開口縁には、後述するキャップ装着部２３に圧嵌係合するための係合リブ１１ａが突設してある。シート状吸液体Ｍは、厚くて吸液性があれば綿シート以外に、布、スポンジ、不織布等いずれであってもよい。
【００２７】
本体部Ａは、本体ケース１と、同ケース１の前面の端部に突設されるヘッドケース１３を含んで構成されており、ヘッドケース１３の前端に温熱ヘッド３が固定してある。上述したように本体ケース１がグリップを兼ねるので当然、本体部Ａもグリップを兼ねるものである。本体ケース１の後面上部には、冷熱ヘッド４がケース外面へ露出する状態で配置してある。また、本体ケース１の後面下部には、放熱板を兼ねる上下に長い卵形のグリップ電極１４が露出させてある。本体ケース１の内部には、電源部１５が配置され、その前面側に制御基板１６が配置してある。温熱ヘッド３の内部にはヒーター１７が、冷熱ヘッド４の内部には、ペルチェ素子１８とヒートシンク１９が配置してある。制御基板１６には、ヒーター１７、ペルチェ素子１８などの作動状態を制御する制御回路が実装され、さらに、先の各ボタン部５・６・７に対応するスイッチ、および各表示灯９・１０などが実装してある（図５参照）。
【００２８】
図３において温熱ヘッド３は、本体ケース１に固定したヘッドケース１３の外開口を塞ぐ伝熱体２１と、ヘッドケース１３の内部に設けたヒーター１７などで構成する。プラスチック成形品からなるヘッドケース１３は、その突出基端に設けた丸筒状の首部（装着部）２２と、首部２２の前端に張出し形成したキャップ装着部２３を含んで構成されており、キャップ装着部２３の前端に伝熱体２１が固定してある。伝熱体２１は肌電極２４を兼ねており、チタン板材を素材とするキャップ状のプレス成形品からなる。肌電極２４は先のグリップ電極１４と協同して、人体を介して肌電極２４が触れる肌面に微弱なパルス電流を供給することで、イオン導入またはイオン導出を可能としている。図７に示すように、キャップ１１はキャップ装着部２３に装着した状態で収納できる。
【００２９】
図４において電源部１５は、本体ケース１に固定した電池ケース２６と、電池ケース２６に装填される電池ユニット（電池）２７で構成されており、肌電極２４、グリップ電極１４、ヒーター１７、ペルチェ素子１８、表示灯９・１０に電力を供給し、これらの電装品を駆動する制御回路に電力を供給する。電池ケース２６の内部には、電池ユニット２７を収容する電池収容部２８が設けてある。図１および図４に示すように、電池ケース２６は左右一対の保持壁２９Ｌ・２９Ｒと、保持壁２９Ｌ・２９Ｒの上下両端（長手方向両端）に連続する一対の保持端壁３０で矩形ケース状に構成されて、その後面に装填口３１が開口してある。また、電池ケース２６の内奥部分、つまり左右の保持壁２９Ｌ・２９Ｒの間には逃げ部３２となる貫通穴が形成してある。装填口３１の左右の対向辺部の上下には、電池ユニット２７が電池収容部２８から抜け出るのを規制する保持爪３３・３４が突設してある。このように、装填口３１の対向辺部に保持爪３３・３４を設けると、装填口３１の外に露出する電池ユニット２７の周面を保持爪３３・３４で押え保持して、電池ユニット２７が電池ケース２６から抜出すのを確実に規制できる。なお、図４は電池ケース２６および前ケース１ａを背面側から見るので、左右の関係は逆になる。
【００３０】
図１に示すように、横断面が部分円弧状の保持壁２９Ｌに設けた保持爪３３は、保持壁２９Ｌに連続する部分円弧状の突起として形成するが、横断面が屈折する保持壁２９Ｒに設けた保持爪３４は、Ｌ字状に屈折する突起として形成してある。また、後者の保持爪３４の装填口３１からの突出長さＨ１は、前者の保持爪３３の装填口３１からの突出長さＨ２より大きく設定してある。上側の保持端壁３０の内面には、電池収容部２８に装填した電池ユニット２７を下側の保持端壁３０へ向かって押圧する弾性片３５が設けてあり、下側の保持端壁３０の下隅には、電池ユニット２７の出力リード４５を導出するためのリード切欠３６が形成してある。さらに、左右の保持壁２９Ｌ・２９Ｒの外面の上下両端には、締結座３７が張出し形成してあり、これらの締結座３７を前ケース１ａの内面に設けたねじボス３８にビス（締結体）３９で締結することにより、電池ケース２６を前ケース１ａと一体化している。左右の保持壁２９Ｌ・２９Ｒの各保持爪３３・３４と対応する壁面には、放熱窓４０が開口してある。
【００３１】
図６に示すように電池ユニット２７は、丸筒状の２次電池からなる電池本体４２と、電池本体４２の周面に密着配置した保護回路基板４３をシュリンクフィルム４４で被覆して構成してあり、保護回路基板４３から出力リード４５が導出してある。保護回路基板４３は、過充電、過電圧、過放電が起こった場合に、同基板に実装されたＩＣおよびＦＥＴからなるスイッチ手段を作動させて電源供給ラインを遮断する。電池ユニット２７は、予め電池収容部２８に装填されて、先に説明した要領で前ケース１ａと一体化してあり、この状態の前ケース１ａに後ケース１ｂを締結固定することにより、電池ユニット２７が本体ケース１内に封入される。
【００３２】
電池収容部２８に装填した電池ユニット２７の周面は、左右一対の保持壁２９Ｌ・２９Ｒで受止められ、さらに装填口３１の外に露出する電池ユニット２７の周面を、保持爪３３および保持爪３４で押え保持して、電池ユニット２７が電池収容部２８から抜け出るのを規制している。同時に、弾性変形した弾性片３５で電池ユニット２７を下側の保持端壁３０へ向かって押圧して、電池ユニット２７が長手方向へ移動しようとするのを規制している。さらに、装填口３１と正対する後ケース１ｂの内面に、電池ユニット２７の周面に密着するゴム製の弾性体４６を設けて、後ケース１ｂを前ケース１ａに締結固定した状態において、弾性変形した弾性体４６で電池ユニット２７を電池ケース２６に押付けている。図５に示すように、弾性体４６は上下に長いゴム条材からなる。このように、後ケース１ｂの内面に弾性体４６を設けると、弾性変形した弾性体４６で電池２７を電池ケース２６に押付けて、電池２７の動きを規制できる。また、電池２７と保持爪３３・３４の間に僅かな隙間があった場合でも、電池２７ががたつくのを弾性体４６で規制して、異音が発生するのを防止できる。
【００３３】
先に説明したように、保持爪３４の装填口３１からの突出長さＨ１は、保持爪３３の装填口３１からの突出長さＨ２より大きく設定してあるが、これは電池ユニット２７を電池収容部２８に装填しやすくするためである。詳しくは、電池ユニット２７を装填する場合には、図６に想像線で示すように保護回路基板４３の側を装填始端にして、保持爪３４と保持壁２９Ｒの間にあてがって、電池ユニット２７を仮組する。この状態で、電池ユニット２７の円弧周面を保持爪３３に押付けて、保持爪３３・３４を弾性変形させながら電池収容部２８に装填して、電池ユニット２７を電池収容部２８に装填する。換言すると、突出長さＨ１が大きな保持爪３４の側に電池ユニット２７をあてがって仮組し、突出長さＨ２が小さい側の保持爪３３に電池ユニット２７の周面をあてがって押し込み操作することで、電池ユニット２７を電池ケース２６にパチンと嵌め込むことができる。なお、保持爪３４の突端および保持爪３３の突端は、電池ケース２５に装填した電池ユニット２７の頂部（弾性体４６に当たっている位置）より低い位置にある。これは、保持爪３４の突端および保持爪３３の突端が、電池ユニット２７の頂部より高い位置にあると、電池ケース２５および電池ユニット２７が占める高さ空間が増え、コンパクト化できないからである。
【００３４】
上記のように、電池ユニット２７を電池収容部２８に装填した状態では、電池ユニット２７の周面の一部が、保持壁２９Ｌ・２９Ｒの内面から逃げ部３２の逃げ空間Ｓ内に入り込んでいる。図６に示すように、逃げ空間Ｓにおける電池ユニット２７の入り込み量Ｔ２は、逃げ空間Ｓの厚みＴ１の半分以上であることが好ましい。因みに電池ユニット２７の入り込み量Ｔ２が、逃げ空間Ｓの厚みＴ１の半分未満であると、本体ケース１の内部において電池２７および電池ケース２６が占めるスペースを減少する効果を十分に発揮できない。より好ましくは、図６に示すように、電池２７の入り込み量Ｔ２が、逃げ空間Ｓの厚みＴ１と同じするとよく、その場合には電池ユニット２７の円弧周面の下部が、逃げ部３２の下開口面と面一になる。
【００３５】
電池ケース２６の内奥（前奥）に逃げ部３２を形成すると、電池ユニット２７を電池収容部２８に装填した状態において、電池ユニット２７の周面の一部が逃げ部３２の逃げ空間Ｓ内に入り込むので、本体ケース１の内部において電池２７および電池ケース２６が占めるスペースを小さくして、その分だけ本体ケース１をコンパクト化できる。また、電池ユニット２７を電池収容部２８に装填した状態においては、電池ユニット２７の周面の２個所が逃げ空間Ｓの左右の周縁壁で受止められるので、電池ユニット２７を安定した状態で保持できる。
【００３６】
矩形ケース状の電池ケース２６の内奥（前奥）に逃げ部３２を貫通穴として形成すると、電池ケース２６の構造強度が低下して脆弱になりやすい。しかし、電池ケース２６の各保持壁２９Ｌ・２９Ｒの外面両端に締結座３７を張出し、これらの締結座３７をビス３９で本体ケース１に固定すると、外力を受けた各保持壁２９Ｌ・２９Ｒがたわみ変形しようとするのを確実に防止できる。従って、電池ケース２６の構造強度を増強し耐久性を向上できるうえ、電池ケース２６で本体ケース１のケース強度を補強して剛性を高めることができる。
【００３７】
不使用状態における美容器具の温熱ヘッド３および冷熱ヘッド４を保護するために、肌処理ヘッド２の全体を覆う保護キャップ５１を設けている。図７および図８に示すように、保護キャップ５１は、温熱ヘッド３および肌電極２４の前面および上面を覆う前保護部５２と、本体ケース１の上部、および同ケース１の上部背面に設けた冷熱ヘッド４を覆う後保護部５３を備えたヘルメット状のプラスチック成形品からなる。前保護部５２は温熱ヘッド３および肌電極２４の前面を覆う円形の前カバー壁５４と、肌電極２４およびキャップ装着部２３の上半周面を覆う前すぼまりテーパー状の前支持壁５５を備えている。また、後保護部５３は、本体ケース１の上端周面を覆う後支持壁５７と、冷熱ヘッド４の後面を覆う円形の後カバー壁５８を備えている。
【００３８】
前保護部５２と後保護部５３は、左右一対の弾性変形可能な帯状の横橋絡壁６０と、両保護部５２・５３の上部どうしを繋ぐ帯状の上橋絡壁６１を介して一体化してある。各橋絡壁６０・６１は、保護キャップ５１の内面側へ凹む谷部６２と、谷部６２に連続して外面側へ突出する山部６３でｍ字状に構成してあり、一対の横橋絡壁６０の谷部６２の内面にクリップ片６４を設け、上橋絡壁６１の谷部６２の内面にストッパー部６５を設けている。また、一対の横橋絡壁６０の谷部６２の下部外面には、保護キャップ５１を着脱するための三角形状の指掛け片６６が突設してある。横橋絡壁６０と上橋絡壁６１の間の前支持壁５５および後支持壁５７は、通気窓６７としてくり抜かれている。このように、上橋絡壁６１と左右の横橋絡壁６０の間に通気窓６７を開口すると、保護キャップ５１を本体部Ａの上部に装着した状態において、通気窓６７に臨む肌処理ヘッド２や本体部Ａの表面を外部空間の臨ませることができるので、肌処理ヘッド２や本体ケース１の表面に付着した美容用液などの乾燥を促進できる。
【００３９】
上記のように、谷部６２と山部６３で横橋絡壁６０を構成すると、横橋絡壁６０が平坦な帯状の壁で係止してある場合に比べて、弾性変形する壁部分の長さを大きくして、横橋絡壁６０を弾性変形しやすい構造とすることができる。また、横橋絡壁６０の外面に指掛け片６６を突設するので、左右の指掛け片６６に親指と人差し指をあてがった状態で保護キャップ５１を首部２２に着脱することにより、保護キャップ５１を容易にしかも適確に着脱できる。また、保護キャップ５１を首部２２に対して適確に着脱できるので、着脱時に前カバー壁５４と肌電極２４が互いに擦れあうのを防止できる。とくに、谷部６２に指掛け片６６を突設する場合には、谷部６２の構造を指掛け片６６で補強して、横橋絡壁６０が拡開回方向へ弾性変形する際に谷部６２が過度に変形するのを規制できる。また、クリップ体Ｂの近傍に指掛け片６６が位置しているので、指掛け片６６に加わる押込み力や抜出し力を効果的にクリップ体Ｂに伝えて、程良いクリック感で保護キャップ５１を肌処理ヘッド２に着脱できる。
【００４０】
図１０に示すように、クリップ体Ｂは、クリップ片６４と、同クリップ片６４の内方の下部において、左右方向へ弾性変形できる部分円弧状のクリップ爪７０とを含んで構成されており、クリップ爪７０をヘッドケース１３の首部２２に圧嵌装着することにより、本体部Ａに装着した保護キャップ５１を抜外れ不能に保持できる。この状態のクリップ爪７０は、断面が円形の首部２２の下半周面に密着して、自己の弾性変形力で保護キャップ５１を下向きに引寄せている。これにより保護キャップ５１は、自己の弾性変形力により本体部Ａに対して自己保持されることになる。保護キャップ５１を本体部Ａに装着する場合には、綿シートＭを挟持するためのキャップ１１をキャップ装着部２３に装着したままであっても、問題なく装着することができる。図７および図９に示すように、前支持壁５５の内面と肌電極２４およびヘッドケース１３は、充分な隙間を介して対向しているので、保護キャップ５１の装着時はもちろん、装着した後においても、保護キャップ５１がキャップ１１と緩衝することはないからである。従って、不使用時にキャップ１１を肌電極２４から取外して、本体部Ａとは別に収納保管する必要がなく、キャップ１１がどこかに紛れ込み、あるいは紛失するのを確実に防止できる。保護キャップ５１は、肌電極２４（温熱ヘッド３）や冷熱ヘッド４を保護するだけではなく、キャップ装着部２３に係合した状態で肌電極２４まわりに収納保管されているキャップ１１の上半周面を覆いキャップ１１を衝撃等から保護している。なお、前カバー壁５４と肌電極２４の隙間は、キャップ１１の前後厚みより小さい（図７参照）ので、たとえ、キャップ１１がキャップ装着部２３から脱落することがあったとしても、保護キャップ５１の外へ抜け落ちることはない。つまり、保護キャップ５１を本体部Ａに装着した状態では、保護キャップ５１の存在によりキャップ１１を脱することも、装着することも不可能に構成されている。また、仮に保護キャップ５１が本体部Ａから外れてもキャップ１１が単独で肌電極２４に残るので、同時に保護キャップ５１とキャップ１１がカバン等の中に紛れ込むのを可及的に防止できる。場合によっては、キャップ１１によって綿シートなどのシート状吸液体Ｍを肌電極２４に固定した状態のまま保護キャップ５１を本体部Ａに装着し、保護キャップ５１によってシート状吸液体Ｍ、キャップ１１および肌電極２４の三者を外力から保護することができる。この場合、ユーザーは、保護キャップ５１を外してすぐに美容用液をシート状吸液体Ｍに滲み込ませることができ、肌ケアにかかる手間を減少することができる。
【００４１】
ストッパー部６５は、上橋絡壁６１の谷部６２の内面に突設したベース壁７１と、ベース壁７１の前面に突設した４個の規制リブ７２を備えている。図７および図１０に示すように、保護キャップ５１を本体部Ａに装着した状態においては、ベース壁７１および規制リブ７２が首部２２の上周面に接当して、下方移動が規制されている。また、ベース壁７１と規制リブ７２が、首部２２に臨む前ケース１ａの前壁と、キャップ装着部２３の張出し基端で受止められて、前後移動が規制されている。つまり、クリップ体Ｂを首部２２に係合装着した状態においては、ストッパー部６５がヘッドケース１３と本体ケース１で前後動不能に係合保持されて、前保護部５２の前カバー壁５４が肌電極２４と小さな隙間を介して対向している。従って、前カバー壁５４と肌電極２４が互いに擦れあうのを防止して、肌電極２４が傷付くのを確実に防止できる。同様に、後カバー壁５８は冷熱ヘッド４と小さな隙間を介して対向するので、冷熱ヘッド４が傷付くのを確実に防止できる。
【００４２】
指掛け片６６は、クリップ爪７０が首部２２に係脱するとき、谷部６２に過度の変形応力が集中するのを規制している。また、クリップ爪７０の近傍に指掛け片６６が設けてあるので、指掛け片６６に加わる押込み力や抜出し力を効果的にクリップ爪７０に伝えて、程良いクリック感で保護キャップ５１を肌処理ヘッド２に着脱できる。上橋絡壁６１の内面にストッパー部６５を形成すると、保護キャップ５１を本体部Ａに装着した状態において、前保護部５２と後保護部５３をストッパー部６５で位置決めできる。また、左右の横橋絡壁６０と上橋絡壁６１の３者で後保護部５３を支持して、後保護部５３の構造強度を増強できる。また、クリップ体Ｂを首部２２に圧嵌係合した状態では、クリップ体Ｂと横橋絡壁６０の弾性でストッパー部６５を首部２２に密着させて、保護キャップ５１ががたつくのを防止できる。さらに、本体部Ａに装着した保護キャップ５１の保護機能を強化でき、さらに保護キャップ５１の保護構造を好適化して構造強度を増強できる。
【００４３】
美容器具は図１１に示すように、テーブルや化粧台などの載置面Ｆに横臥姿勢にして載置することがある。こうした場合に、美容器具を安定した状態で載置するために、後カバー壁５８の下半部後面の左右にリブ状の載置片７３を突設している。美容器具を載置面Ｆに載置した状態においては、載置片７３の上端と、本体部Ａのグリップ電極１４の下端付近のグリップ端が載置面Ｆに接当して、横臥状態の本体部Ａを安定した状態で支持している。
【００４４】
美容器具は、電源ボタン部６をオン操作したのち、モードボタン部７を押込み操作するごとに第１から第４の運転モードに切換えられて、各運転モードに対応して各機器の作動状態を制御する。また、必要に応じて、微弱なパルス電流をグリップ電極１４および肌電極２４に対して出力し、あるいはその極性を切換える。美容器具の使用時には、必要に応じて化粧水などの美容用液が含浸された綿シートＭを肌電極２４の外面にあてがって、その周囲をキャップ装着部２３に圧嵌装着されるキャップ１１で固定した状態で使用する。
【００４５】
第１運転モードでは、美容用液が含浸された綿シートＭを肌電極２４に装着して、顔肌のしわ、ひだ、毛穴などに入込んでいる微細な汚れを落とすイオン導出処理を行う。このとき、ヒーター１７が駆動されて肌電極２４を加熱し、肌電極２４にプラス極性のパルス電流が供給される。第１運転モードを開始してから所定時間が経過すると、パルス電流の供給が停止されて第１運転モードを終了する。第２運転モードでは、第１運転モードと同様に、美容用液が含浸された綿シートＭを肌電極２４に装着して、イオン導入処理を行う。このとき、ヒーター１７が駆動されて肌電極２４を加熱し、肌電極２４にマイナス極性のパルス電流が供給される。第２運転モードを開始してから所定時間が経過すると、パルス電流の供給が停止されて第２運転モードを終了する。第２運転モードでは、美容用液が含浸された綿シートＭを使用せずに、粘性の高いジェル状の化粧水や、乳液などの美容用液を温熱ヘッド３に塗付して使用することもある。
【００４６】
第３運転モードでは、美容用液が含浸された綿シートＭを肌電極２４に装着し、肌電極にプラス極性のパルス電流とマイナス極性のパルス電流を咬合に供給して美容処理を行う。また、顔肌をシートマスクで覆った状態、あるいは乳液を顔肌に塗付した状態で美容処理を行う。第３運転モードを開始してから所定時間が経過すると、パルス電流の供給が停止されて第３運転モードを終了する。第４運転モードでは、冷熱ヘッド４をペルチェ素子１８で冷却した状態で美容処理を行う。詳しくは、化粧用パフを使用するのと同様に、冷熱ヘッド４を顔肌にあて、あるいは顔肌から離す処理を顔肌の中心から周辺へ繰返し行って、顔肌を引締める。第４運転モードを開始してから所定時間が経過すると、ペルチェ素子１８に対する駆動電流の供給が停止されて第４運転モードを終了する。
【００４７】
以上のように、前保護部５２と、一対のクリップ体Ｂと、ストッパー部６５を備えた保護キャップ５１によれば、クリップ体Ｂを首部２２に係合装着した状態において、ストッパー部６５をヘッドケース１３と本体ケース１で前後動不能に係合保持できる。
【００４８】
前後の保護部５２・５３を一対の弾性変形可能な帯状の横橋絡壁６０を介して連続し、その内面にクリップ片６４を設ける保護キャップ５１によれば、クリップ片６４が弾性変形しながら首部２２に係合するとき、横橋絡壁６０を同時に弾性変形させて、係合負荷がクリップ片６４に集中するのを防止して、早期に疲労破壊するのを解消できる。また、クリップ片６４を首部２２に圧嵌係合した状態では、クリップ片６４と横橋絡壁６０の弾性でストッパー部６５を首部２２に密着させて、保護キャップ５１ががたつくのを防止できる。
【００４９】
上記実施例の美容器具は、以下の態様で実施することができる。
肌電極２４を有する本体部Ａに保護キャップ５１が着脱可能に装着してある美容器具であって、
シート状吸液体Ｍを肌電極２４に装着するためのキャップ１１が、肌電極２４に着脱可能に装着されており、
キャップ１１を肌電極２４に装着した状態のままで、保護キャップ５１を本体部Ａに着脱できることを特徴とする美容器具。
本発明に係る美容器具では、本体部Ａに保護キャップ５１を着脱可能に装着できるようにした。このとき、シート状吸液体Ｍ用のキャップ１１を肌電極２４に装着した状態のままで、保護キャップ５１を本体部Ａに着脱できるようにした。こうした美容器具によれば、不使用時に肌電極２４を保護キャップ５１で保護することができる。不使用時にキャップ１１を肌電極２４から取外して、本体部Ａとは別に収納保管する必要がないので、キャップ１１がどこかに紛れ込み、あるいは紛失するのを防止できる。また、不使用時はキャップ１１を装着し慣れた肌電極２４に装着して保管できるので、ユーザーの使い勝手を向上できる。さらに、保護キャップ５１側にキャップ１１を装着するための構造追加の必要がない。このため、保護キャップ５１のボリュームが増加するのを抑制して保護キャップ５１のコンパクト化が可能となる。
【００５０】
上記構成の美容器具において、
保護キャップ５１を本体部Ａに装着した状態では、キャップ１１の着脱が不可能に構成されていることを特徴とする美容器具。
これにより、肌電極２４に装着されたキャップ１１が、保護キャップ５１の存在により不用意に抜け落ちるのを防止できる。仮に保護キャップ５１が本体部Ａから外れてもキャップ１１が単独で肌電極２４に残るので、同時に保護キャップ５１とキャップ１１がカバン等の中に紛れ込むのを可及的に防止できる。
【００５１】
上記構成の美容器具において、
肌電極２４寄りの本体部Ａに装着部２２が設けられており、
保護キャップ５１は、肌電極２４の前面を覆う前保護部５２と、本体部Ａの装着部２２に着脱可能に装着される一対のクリップ体Ｂを含み、
クリップ体Ｂを装着部２２に係合装着した状態において、前保護部５２の前カバー壁５４が肌電極２４と隙間を介して対向していることを特徴とする美容器具。
肌電極２４の前面を覆う前保護部５２と、一対のクリップ体Ｂを含む保護キャップ５１によれば、クリップ体Ｂを装着部２２に係合装着するだけで、保護キャップ５１を本体部Ａに簡単に装着できる。また、保護キャップ５１を本体部Ａに装着した状態では、前保護部５２の前カバー壁５４と肌電極２４が隙間を介して対向するので、前カバー壁５４と肌電極２４が互いに擦れあうのを防止して、肌電極２４が傷付くのを確実に防止できる。なお、クリップ体Ｂを装着部２２に係合装着した状態においては、クリップ体Ｂのクリップ爪７０が装着部２２の下半周面に密着するようにすることが好ましい。
【００５２】
上記構成の美容器具において、
保護キャップ５１が、肌電極２４の外面を覆う前保護部５２と、本体ケース１の背面を覆う後保護部５３を含み、
前保護部５２と後保護部５３は、左右一対の弾性変形可能な帯状の横橋絡壁６０を介して連続しており、
横橋絡壁６０の内面にクリップ体Ｂが設けてあることを特徴とする美容器具。
前保護部５２と後保護部５３を含む保護キャップ５１において、前後の保護部５２・５３を一対の弾性変形可能な帯状の横橋絡壁６０を介して連続し、さらに横橋絡壁６０の内面にクリップ体Ｂを設けるようにした。こうした保護キャップ５１によれば、クリップ体Ｂが弾性変形しながら装着部２２に係合するとき、横橋絡壁６０を同時に弾性変形させて、係合負荷がクリップ体Ｂに集中するのを防止して、早期に疲労破壊するのを解消できる。
【００５３】
上記構成の美容器具において、
横橋絡壁６０が、保護キャップ５１の内面側へ凹む谷部６２と、谷部６２に連続して外面側へ突出する山部６３で構成してあることを特徴とする美容器具。
保護キャップ５１の内面側へ凹む谷部６２と、外面側へ突出する山部６３で横橋絡壁６０を構成すると、横橋絡壁６０が平坦な帯状の壁で係止してある場合に比べて、弾性変形する壁部分の長さを大きくして、横橋絡壁６０を弾性変形しやすい構造とすることができる。
【００５４】
上記構成の美容器具において、
横橋絡壁６０の外面に、保護キャップ５１を着脱するための指掛け片６６が突設してあることを特徴とする美容器具。
横橋絡壁６０の外面に指掛け片６６を突設した保護キャップ５１によれば、左右の指掛け片６６に親指と人差し指をあてがった状態で保護キャップ５１を装着部２２に着脱することにより、保護キャップ５１を容易にしかも適確に着脱できる。また、保護キャップ５１を装着部２２に対して適確に着脱できるので、着脱時に前カバー壁５４と肌電極２４が互いに擦れあうのを防止して、肌電極２４が傷付くのを防止できる。
【００５５】
上記構成の美容器具において、
指掛け片６６が横橋絡壁６０の谷部６２に突設してあることを特徴とする美容器具。
横橋絡壁６０の谷部６２に指掛け片６６を突設すると、谷部６２の構造を指掛け片６６で補強して、横橋絡壁６０が拡開回方向へ弾性変形する際に谷部６２が過度に変形するのを規制できる。また、クリップ体Ｂの近傍に指掛け片６６が設けてあるので、指掛け片６６に加わる押込み力や抜出し力を効果的にクリップ体Ｂに伝えることができる。
【００５６】
上記構成の美容器具において、
前保護部５２と後保護部５３の上部どうしが帯状の上橋絡壁６１で繋がっており、
上橋絡壁６１の内面にストッパー部６５が形成してあることを特徴とする美容器具。
前保護部５２と後保護部５３を上橋絡壁６１で繋ぎ、その内面にストッパー部６５を形成すると、保護キャップ５１を本体部Ａに装着した状態において、前保護部５２と後保護部５３をストッパー部６５で位置決めできる。また、左右の横橋絡壁６０と上橋絡壁６１の３者で後保護部５３を支持するので、後保護部５３の構造強度を増強できる。
【００５７】
上記構成の美容器具において、
上橋絡壁６１と左右の横橋絡壁６０の間に通気窓６７が開口してあることを特徴とする美容器具。
上橋絡壁６１と左右の横橋絡壁６０の間に通気窓６７を開口すると、保護キャップ５１を本体部Ａに装着した状態において、通気窓６７に臨む本体部Ａの表面を外部空間の臨ませることができるので、本体ケース１の表面に付着した美容用液などの乾燥を促進できる。
【００５８】
上記構成の美容器具において、
前保護部５２と後保護部５３のいずれか一方の外面に載置片７３が突設されており、
本体部Ａのグリップ端と載置片７３が載置面Ｆに接当して、横臥状態の本体部Ａを支持していることを特徴とする記載の美容器具。
前保護部５２と後保護部５３のいずれかに載置片７３が突設してあると、本体部Ａのグリップ端と載置片７３が載置面Ｆに接当する状態で美容器具を載置することにより、横臥姿勢にした美容器具をぐら付くことなく安定した状態で載置できる。
【００５９】
図１２および図１３は別実施例に係る電池ケース２６を示す。そこでは、逃げ部３２の外開口側に一対の保持壁２９Ｌ・２９Ｒを橋絡する複数の補強リブ７６を設けて、保持壁２９Ｌ・２９Ｒを補強し、電池ケース２６の構造強度を増強した。電池ユニット２７を電池収容部２８に装填した状態では、図１２に示すように、逃げ空間Ｓに入り込んだ電池ユニット２７の周面が補強リブ７６で受止められるので、電池ユニット２７を適正な装填位置に位置決めできる。他は実施例１の電池ケース２６と同じであるので、同じ部材に同じ符号を付してその説明を省略する。
【００６０】
図１４は別実施例に係る電池ケース２６を示す。そこでは、電池ケース２６を前ケース１ａと一体に形成して、本体ケース１において電池ケース２６および電池２７が占めるスペースをさらに小さくできるようにした。詳しくは、保持壁２９Ｌ・２９Ｒおよび保持爪３３・３４を前ケース１ａと一体に形成した。また、前ケース１ａの内面に凹部を形成し、この凹部が逃げ部３２として機能するようにした。この実施例における電池２７は、電池本体４２と、その周面を被覆するシュリンクフィルム４４で構成した。後ケース１ｂは前ケース１ａに対して着脱自在に組付けられていて電池蓋を兼ねており、その内面に弾性体４６が固定してある。このように、逃げ部３２は凹部で形成してあってもよく、必ずしも貫通穴で形成する必要はない。
【００６１】
上記の実施例１では、肌処理ヘッド２の背面に冷熱ヘッド４を設けたが、冷熱ヘッド４は省略してあってもよい。その場合の後保護部５３は、後支持壁５７および後カバー壁５８が本体ケース１の上部外面に沿う形状に形成してあればよい。これにより、本体ケース１の上部外面の傷付きを防止できる。あるいは、後保護部５３を省略して、前保護部５２とクリップ片６４と、ストッパー部６５と、指掛け片６６で保護キャップ５１を構成してもよい。電池２７は充電池である必要はなく、１次電池であってもよい。
【００６２】
電池ケース２６の締結座３７はビス３９で締結する以外に、前ケース１ａに設けた溶着ピンで締結固定し、あるいはブラインドリベットで締結固定してもよい。必要があれば、載置片７３は前保護部５２の前面に設けてあってもよい。弾性片３５は、下側の保持端壁３０に設けてあってもよい。実施例１では、キャップ１１をヘッドケース１３のキャップ装着部２３に係合装着したが、キャップ１１は肌電極２４に直接係合装着することができる。また、キャップ１１のみを肌電極２４に係合装着できない場合でも、綿シートＭを肌電極２４にあてがってキャップ１１を圧入装着することにより、綿シートＭとキャップ１１を肌電極に固定できる場合がある。さらに、保護キャップ５１を本体部Ａに装着することにより、肌電極２４に被せ付けただけのキャップ１１を抜落ち離不能に保持できる。請求項において「キャップ１１が肌電極２４に着脱可能」とは、キャップ１１が上記のいずれの状態であってもよいこととする。
【００６３】
実施例１では、装着部２２が、ヘッドケース１３に形成した首部２２で構成されているが、一対のクリップ体Ｂが装着できれば、例えば、本体ケース１の上部の左右にそれぞれ溝を形成して溝の内奥が円弧面になってクリップ体Ｂのクリップ爪７０が係合装着されるような装着部であってもよい。また、当該溝の内奥が平坦面になっており、平坦面の所定位置に突起を形成してクリップ体Ｂのクリップ爪７０が係合装着されるような装着部であってもよい。上記構成の場合、溝とクリップ体Ｂだけで保護キャップ５１の前後動を規制できる。また、溝を設けずに本体ケース１の上部の周面左右にそれぞれ突起のみを設けてクリップ体Ｂのクリップ爪７０が係合装着されるような装着部であってもよい。このように装着部２２は、クリップ体Ｂのクリップ爪７０が弾性的に係合装着されるものであれば種々その構成は変更可能である。さらに、クリップ体Ｂは本体部Ａに弾性的に係合装着される構造であれば、一対のクリップ体Ｂである必要はない。例えば、実施例１の一対のクリップ体Ｂのうち１個を省いて構成することができる。さらに実施例１の一対のクリップ体Ｂを省き、後保護部５３と横橋絡壁６０と上橋絡壁６１で装着体（クリップ体Ｂ）を構成し、本体ケース１の上部に被せつけて保護キャップ５１を装着固定するような構成であってもよい。本体ケース１とヘッドケース１３とは一体で形成されたものであってもよい。
【符号の説明】
【００６４】
１  本体ケース
２  肌処理ヘッド
３  温熱ヘッド
４  冷熱ヘッド
１３  ヘッドケース
１５  電源部
１６  制御基板
２２  首部（装着部）
２３  キャップ装着部
２４  肌電極
２６  電池ケース
２７  電池ユニット（電池）
２８  電池収容部
２９Ｌ・２９Ｒ  保持壁
３１  装填口
３２  逃げ部
３３・３４  保持爪
３５  弾性片
４６  弾性体
５１  保護キャップ
５２  前保護部
５３  後保護部
５４  前カバー壁
５５  前支持壁
５７  後支持壁
５８  後カバー壁
６０  横橋絡壁
６１  上橋絡壁
６４  クリップ片
６５  ストッパー部
６６  指掛け片
７０  クリップ爪
Ａ    本体部
Ｂ    クリップ体
【図１】
0006695694.tif 000002
【図２】
0006695694.tif 000003
【図３】
0006695694.tif 000004
【図４】
0006695694.tif 000005
【図５】
0006695694.tif 000006
【図６】
0006695694.tif 000007
【図７】
0006695694.tif 000008
【図８】
0006695694.tif 000009
【図９】
0006695694.tif 000010
【図１０】
0006695694.tif 000011
【図１１】
0006695694.tif 000012
【図１２】
0006695694.tif 000013
【図１３】
0006695694.tif 000014
【図１４】
0006695694.tif 000015